【事件の表示】
　特許第５９６４５６０号発明「乳化型整髪料」の特許異議申立事件について、次のとおり決定する。
【結　論】
　特許第５９６４５６０号の請求項１ないし２に係る特許を維持する。
【理　由】
１　手続の経緯
　特許第５９６４５６０号に係る発明は、平成２３年８月１１日に特許出願され、平成２８年７月８日にその特許権の設定登録がなされ、その後、特許異議申立人　金山愼一（以下、「申立人」という。）により特許異議の申立てがされたものである。
２　本件発明
　本件の請求項１−２に係る発明（以下、「本件発明１」−「本件発明２」という。）は、その特許請求の範囲の請求項１−２に記載された以下の事項によって特定されるとおりのものである。
【請求項１】
「次の（Ａ）〜（Ｅ）成分を含有する乳化型整髪料。
（Ａ）キャンデリラロウ　１〜１５質量％
（Ｂ）揮発性炭化水素　０．５〜１５質量％
（Ｃ）パルミチン酸２−エチルヘキシル及びステアリン酸ステアリルから選ばれる一種又は二種以上　０．５〜１２質量％
（Ｄ）下式（１）で示される直鎖状メチルポリシロキサン　０．０５〜１０質量％
（Ｅ）カルボキシビニルポリマー及び／又はアルキル変性カルボキシビニルポリマー　０．０１〜０．５質量％
【化１】
（ｎは１０〜３０００の整数である。）」
【請求項２】
「（Ｄ）成分の直鎖状メチルポリシロキサンの平均重合度ｎが１５〜２０００である請求項１記載の乳化型整髪料。」
（以下、【請求項１】の（Ｄ）成分に係る直鎖状メチルポリシロキサンを「化１直鎖状メチルポリシロキサン」という。」
３　申立ての理由の概要
　申立人は、特許異議申立書において、本件発明１−２は、甲第１号証及び甲第２−９号証に記載された発明に基づいて当業者が容易に想到したものであり（「理由１」という。）、甲第１０号証及び甲第２−９号証に記載された発明に基づいて当業者が容易に想到したものであり（「理由２」という。）、甲第１１号証及び甲第１−９号証に記載された発明に基づいて当業者が容易に想到したものであり（「理由３」という。）、その特許は特許法第２９条第２項の規定に違反してされたものであるから、取り消されるべきものである旨主張する。
＜証拠方法＞
甲第１号証：特開２００７−１５９３５号公報
甲第２号証：「化粧品原料製品カタログ」、日清オイリオ株式会社、
　　　　　　２００３年５月発行、３頁（サラコスＰ−８【パルミチン酸
　　　　　　オクチル】）
甲第３号証：特開２０１１−１２６８２９号公報
甲第４号証：発売日２００９年９月１日の「ロレッタ　メイクアップミルク
　　　　　　（グラマラス）」に関する有限会社久光工房のウェブページ、
　　　　　　２０１７年１月１３日検索
甲第５号証：光井武夫編、「新化粧品学」第２版、南山堂、
　　　　　　２００１年１月１８日発行、１４５頁、１５７−１５８頁
甲第６号証：「パーソナルケア用シリコーン」カタログ、
　　　　　　東レ・ダウコーニング株式会社、２０１０年５月発行、２頁
　　　　　　（ジメチルシリコーンオイル）
甲第７号証：特開２００９−９１２５９号公報
甲第８号証：特開２００５−１７９３３７号公報
甲第９号証：特開２００４−６７６５３号公報
甲第１０号証：特開２００９−１３１２５号公報
甲第１１号証：特開２００９−１６１４８８号公報
（以下、「甲第１号証」…「甲第１１号証」を、「甲１」…「甲１１」という。）
（１）理由１について
ア　甲１に記載された事項
（ア）「【請求項１】
次の成分（Ａ）および（Ｂ）
（Ａ）２０℃において固体のワックス
（Ｂ）沸点が１００〜２６０℃の範囲にあるイソパラフィン系炭化水素および／または珪素数が２〜８の揮発性シリコーン
を含有し、成分（Ａ）と成分（Ｂ）の質量比が１：３〜３：１であることを特徴とする整髪料。
【請求項２】
更に、成分（Ｃ）エステル油を含有する請求項１に記載の整髪料。」
（イ）「【０００８】
　すなわち、本発明の目的とするところは、のびが良く、べたつきが少なく、毛髪に対して高いセット力によりヘアアレンジを可能にし、そのアレンジした髪型が長時間持続する優れたセット保持力を有する整髪料を提供することにある。
…
【発明の効果】
【００１１】
　本発明の整髪料によれば、のびが良く、べたつきが少なく、毛髪に対して高いセット力によりヘアアレンジを可能にし、そのアレンジした髪型が長時間持続する優れたセット保持力を有することができる。」
（ウ）「【００１３】
　本発明における（Ａ）成分であるワックスは、２０℃において固体の形状を示すものであることが必須である。ここで固体の形状とは、結晶質のものを指す。この固体のワックスとしては、具体的には、ロウ類、炭化水素類、油脂類等があげられる。例えば、ロウ類としては…、キャンデリラロウ…等があげられ、…これら固体のワックスの中でも、べたつきの無さと毛髪のセット性の点で…、キャンデリラロウ…が特に好ましい。
【００１４】
　本発明においては、これら固体のワックスの中から一種または二種以上を適宜選択して用いることができ、その配合量としては、整髪料の全量に対して５〜３０％が好ましく、更に好ましくは１０〜２０％である。この配合量であれば、良好なセット性を得ることができ、なおかつ使用時に取り易くなる組成物の硬度が得られるため好ましい。」
（エ）「【００１５】
　本発明における（Ｂ）成分として選択されるものは、沸点が１００〜２６０℃の範囲にあるイソパラフィン系炭化水素および珪素数が２〜８の揮発性シリコーンであり、これらは単独で配合しても、二種以上を組み合わせて配合してもよい。
【００１６】
　沸点が１００〜２６０℃の範囲にあるイソパラフィン系炭化水素としては、イソブテンとｎ−ブテンを共重合したものを水素添加して得られる炭素数１２〜２８の軽質流動イソパラフィン、石油から精製して得られる揮発性の炭化水素混合物である炭素数６〜３０の軽質流動パラフィンがあげられ、それらの市販品を例示すると、日本油脂社製のＮＡＳ−３、ＮＡＳ−４、ＮＡＳ−５、エクソン社製のアイソパーＣ、同Ｄ、同Ｅ、同Ｅ、同Ｇ、同Ｈ、同Ｋ、同Ｌ、同Ｍ、シェル社製のシェルゾール７１、日本石油化学社製の日石アイメゾール３００、同４００、フィリップ社製のソルトロール１００、同１３０、同２２等があげられる。
【００１７】
　珪素数が２〜８の揮発性シリコーンとしては、オクタメチルシクロテトラシロキサン、デカメチルシクロペンタシロキサン、テトラデカメチルシクロヘキサシロキサン、オクタメチルトリシロキサンおよびデカメチルテトラシロキサン、メチルトリメチコン等があげられ、これらは通常、沸点が１００〜２６０℃の範囲にある。それらの市販品を例示すると、信越化学社製のＫＦ−９６Ａ−１ｃｓ、ＫＦ−９６Ａ−１．５ｃｓ、ＫＦ−９９５、ＴＭＦ−１．５、東レダウコーニングシリコーン社製のＳＨ２４４、ＳＨ３４４、ＳＨ２４５、ＤＣ３４５、ＤＣ２４６、ＳＨ２００Ｃ−１ｃｓ、ＳＨ２００Ｃ−１．５ｃｓ、ＧＥ東芝シリコーン社製のＴＳＦ４０４、ＴＳＦ４０５、ＴＳＦ４０４５、ＴＳＦ４５１−１Ａ、ＴＳＦ４５１−１．５Ａ等があげられる。
【００１８】
　本発明においては、成分（Ｂ）の配合量は、全組成物中に５〜３０％が好ましく、更に好ましくは１０〜２０％である。この配合量であれば、ワックスの溶解性が良好であり、組成物よりワックスが固形となって析出したり、組成物が分離することもない。また、良好なセット性を得ることもでき好ましい。」
（オ）「【００２０】
　また、本発明においては、成分（Ｃ）であるエステル油を配合することが好ましい。エステル油は固体ワックスを溶解或いは分散させ、析出を防止してセット性を高めるために配合され、脂肪酸とアルコールとのエステル体を主成分とするものである。その具体例としては、ミリスチン酸イソプロイル、ミリスチン酸ブチル、パルミチン酸イソプロピル、ステアリン酸エチル、ステアリン酸ブチル、オレイン酸エチル、リノール酸エチル等の直鎖高級脂肪酸と低級アルコールとのエステル、カプリル酸セチル、ラルリン酸ヘキシル、ミリスチン酸デシル、ミリスチン酸ミリスチル、パルミチン酸セチル、ステアリン酸ステアリル、オレイン酸デシル、リシノレイン酸セチル、ラウリン等の直鎖高級脂肪酸と直鎖高級アルコールとのエステル、ラウリン酸イソステアリル、ミリスチン酸イソトリデシル、ミリスチン酸イソセチル、ミリスチン酸イソステアリル、ミリスチン酸オクチルドデシル、パルミチン酸オクチル、パルミチン酸イソセチル、パルミチン酸イソステアリルステアリン酸イソセチル、オレイン酸イソデシル、オレイン酸オクチルドデシル等の直鎖脂肪酸と分枝アルコールとのエステル…などが挙げられる。…
【００２１】
　本発明においては、これらエステル油の中から、一種又は二種以上を適宜選択して用いることができる。これらエステル油の配合量は、成分（Ａ）のワックスの配合量によって適宜選択され、成分（Ａ）と成分（Ｃ）の質量比が１：５〜５：１であること好ましく、更に好ましくは  質量比が１：２〜２：１である。この質量比であれば、高いセット力が得られヘアアレンジが良好にでき、また、固形のワックスが析出することなくセット性が十分となり好ましい。」
（カ）「【００２２】
　本発明の整髪料には、上記必須成分の他に、必要により、一般に化粧料に用いられている成分、例えば、他の界面活性剤、高分子化合物、油脂類、粉体、シリコーン類、ｐＨ調整剤、保湿剤、紫外線吸収剤、紫外線分散剤、色素、液状アルコール、植物エキス、殺菌剤、防腐剤、酸化防止剤、キレート剤、薬剤、香料等を、本発明の効果を損なわない範囲で用いることができる。」
（キ）「【００３２】
【表１】
【００３３】
　表１から明らかなように、本発明の整髪料は、比較例と比べて明らかに塗布時ののび、べたつき、アレンジ力、スタイル持続力に関する試験のいずれの評価においても優れていた。
【００３４】
　以下、本発明整髪料のその他の処方例を実施例として挙げる。なお、これらの実施例の整髪料についても、上記の塗布時ののび、べたつき、アレンジ力、スタイル持続力に関する試験を検討したところ、いずれの実施例においても、優れた特性を有しており良好であった。
【００３５】
実施例９（ヘアクリーム）
　　　　　　　　　　　　　　　　　　　　　　　　　　　　配合量（％）
（１）キャンデリラロウ　　　　　　　　　　　　　　　　　　１０．０
（２）マイクロクリスタリンワックス　　　　　　　　　　　　　２．０
（３）デカメチルシクロペンタシロキサン　　　　　　　　　　１０．０
（４）軽質流動イソパラフィン　　　　　　　　　　　　　　　　２．０
（５）２エチルヘキサン酸アルキル（１４，１６，１８）　　　　８．０
（６）セタノール　　　　　　　　　　　　　　　　　　　　　　０．５
（７）ステアリン酸　　　　　　　　　　　　　　　　　　　　　３．０
（８）ミリスチン酸　　　　　　　　　　　　　　　　　　　　　１．５
（９）ポリオキシエチレンセチルエーテル（５Ｅ．Ｏ．）　　　　１．５
（１０）トリイソステアリン酸硬化ヒマシ油　　　　　　　　　　１．５
（１１）モノステアリン酸グリセリン　　　　　　　　　　　　　１．５
（１２）コレステロール　　　　　　　　　　　　　　　　　　　０．３
（１３）パラメトキシケイ皮酸オクチル　　　　　　　　　　　　０．５
（１４）グリセリン　　　　　　　　　　　　　　　　　　　　　１．０
（１５）セチル硫酸ナトリウム　　　　　　　　　　　　　　　　０．５
（１６）水酸化カリウム　　　　　　　　　　　　　　　　　　　０．１
（１７）カルボキシビニルポリマー　　　　　　　　　　　　　　０．１
（１８）フェノキシエタノール　　　　　　　　　　　　　　　　０．３
（１９）パラオキシ安息香酸エステル　　　　　　　　　　　　　微　量
（２０）香料　　　　　　　　　　　　　　　　　　　　　　　　０．３
（２１）精製水　　　　　　　　　　　　　　　　　　　　　　　残　部
【００３６】
（製法）（１）〜（１４）を８０℃で均一に混合溶解し、（１５）〜（１９）および（２１）を８０℃で均一に混合溶解したものを加えて乳化し、冷却を行う。６０℃で（２０）を加えて、室温まで冷却してヘアクリームを得た。
【００３７】
実施例１０（ヘアワックス）
　　　　　　　　　　　　　　　　　　　　　　　　　　　　配合量（％）
（１）キャンデリラロウ　　　　　　　　　　　　　　　　　　２０．０
（２）モクロウ　　　　　　　　　　　　　　　　　　　　　　　３．０
（３）ポリエチレン末　　　　　　　　　　　　　　　　　　　　１．０
（４）デカメチルシクロペンタシロキサン　　　　　　　　　　１０．０
（５）パルミチン酸オクチル　　　　　　　　　　　　　　　　　６．０
（６）コハク酸ジ２−エチルヘキシル　　　　　　　　　　　　　３．０
（７）セトステアリルアルコール　　　　　　　　　　　　　　　２．０
（８）ポリオキシエチレンセチルエーテル（１５Ｅ．Ｏ．）　　　５．０
（９）１，３−ブチレングリコール　　　　　　　　　　　　　　２．０
（１０）ポリビニルピロリドン　　　　　　　　　　　　　　　　２．０
（１１）メチルパラベン　　　　　　　　　　　　　　　　　　　０．２
（１２）セリシン（２０％水溶液）　　　　　　　　　　　　　　１．０
（１３）トリエタノールアミン　　　　　　　　　　　　　　　　０．５
（１４）エデト酸二ナトリウム　　　　　　　　　　　　　　　　０．０５
（１５）香料　　　　　　　　　　　　　　　　　　　　　　　　０．１
（１６）精製水　　　　　　　　　　　　　　　　　　　　　　　残　部
【００３８】
（製法）（１）〜（９）を８０℃にて均一に混合溶解し、（１６）に（１０）〜（１４）を８０℃にて混合溶解したものを投入して乳化する。ホモミキサーを用いて分散後、次いで冷却を行い、７０℃で（１５）を入れ、室温まで冷却してヘアワックスを得た。
【００３９】
実施例１１（ヘアクリーム）
　　　　　　　　　　　　　　　　　　　　　　　　　　　　配合量（％）
（１）キャンデリラロウ　　　　　　　　　　　　　　　　　　１５．０
（２）マイクロワックス　　　　　　　　　　　　　　　　　　　５．０
（３）コメヌカロウ　　　　　　　　　　　　　　　　　　　　　２．０
（４）カルナバワックス　　　　　　　　　　　　　　　　　　　２．０
（５）デカメチルシクロペンタシロキサン　　　　　　　　　　２５．０
（６）軽質流動イソパラフィン　　　　　　　　　　　　　　　　２．０
（７）パルミチン酸オクチル　　　　　　　　　　　　　　　　　６．０
（６）コハク酸ジ２−エチルヘキシル　　　　　　　　　　　　　３．０
（９）ステアリン酸　　　　　　　　　　　　　　　　　　　　　２．０
（１０）ミリスチン酸　　　　　　　　　　　　　　　　　　　　３．０
（１１）メドフォーム油　　　　　　　　　　　　　　　　　　　０．５
（１２）メチルパラベン　　　　　　　　　　　　　　　　　　　０．２
（１３）ステアリルアルコール　　　　　　　　　　　　　　　　２．０
（１４）プロピレングリコール　　　　　　　　　　　　　　　　３．０
（１５）エデト酸二ナトリウム　　　　　　　　　　　　　　　　０．０５
（１６）香料　　　　　　　　　　　　　　　　　　　　　　　　０．１
（１７）精製水　　　　　　　　　　　　　　　　　　　　　　　残　部
【００４０】
（製法）（１）〜（１１）、（１３）を８０℃にて均一に混合溶解し、（１７）に（１４）〜（１５）を８０℃にて混合溶解したものを投入して乳化する。ホモミキサーを用いて分散後、次いで冷却を行い、７０℃で（１２）を入れ、６５℃で（１６）を入れ、室温まで冷却してヘアクリームを得た。」
イ　甲１に記載された発明
　上記ア（ア）（ウ）（エ）（オ）からみて、甲１には、次の甲１発明が記載されている。
「（Ａ）２０℃において固体のワックス　５〜３０％
（Ｂ）沸点が１００〜２６０℃の範囲にあるイソパラフィン系炭化水素および／または珪素数が２〜８の揮発性シリコーン　５〜３０％
（Ｃ）エステル油　成分（Ａ）と成分（Ｃ）の質量比が１：５〜５：１となる量
を含有し、成分（Ａ）と成分（Ｂ）の質量比が１：３〜３：１であることを特徴とする整髪料。」
ウ　本件発明１と甲１発明との対比・判断
（ア）本件発明１と甲１発明とを対比する。
　甲１発明の「２０℃において固体のワックス」は、上記ア（ウ）（キ）からみて、キャンデリラロウが用いられているから、本件発明１の「キャンデリラロウ」に相当する。また、「沸点が１００〜２６０℃の範囲にあるイソパラフィン系炭化水素」は、上記ア（エ）（キ）からみて、軽質流動イソパラフィン、すなわち揮発性炭化水素が用いられているから、本件発明１の「揮発性炭化水素」に相当する。さらに、甲１発明の「整髪料」は、上記ア（キ）からみて、乳化型整髪料と認められる。
　そうすると、本件発明１と甲１発明とは、下記の点で一致する。
「次の成分を含有する乳化型整髪料。
　キャンデリラロウ
　揮発性炭化水素」
　そして、両発明は、下記の点で相違する。
相違点１：キャンデリラロウの配合量が、本件発明１は「１〜１５質量％」であるのに対し、甲１発明は「５〜３０％」である点。
相違点２：揮発性炭化水素の配合量が、本件発明１は「０．５〜１５質量％」であるのに対し、甲１発明は揮発性シリコーンと合わせて「５〜３０％」である点。
相違点３：本件発明１は「パルミチン酸２−エチルヘキシル及びステアリン酸ステアリルから選ばれる一種又は二種以上」を配合してなり、その配合量が「０．５〜１２質量％」であるのに対し、甲１発明は「エステル油」を配合してなり、その配合量が「成分（Ａ）と成分（Ｃ）の質量比が１：５〜５：１となる量」である点。
相違点４：本件発明１は「化１直鎖状メチルポリシロキサン」を配合してなり、その配合量が「０．０５〜１０質量％」であるのに対し、甲１発明は「化１直鎖状メチルポリシロキサン」を配合するものでない点。
相違点５：本件発明１は「カルボキシビニルポリマー及び／又はアルキル変性カルボキシビニルポリマー」を配合してなり、その配合量が「０．０１〜０．５質量％」であるのに対し、甲１発明は「カルボキシビニルポリマー及び／又はアルキル変性カルボキシビニルポリマー」を配合するものでない点。
（イ）上記相違点について検討する。
　相違点４に関し、甲１には「本発明の整髪料には…、シリコーン類…を用いることができる」（上記ア（カ））と、比較例４では、キャンデリラロウ１０質量％と併せて、「ジメチルポリシロキサン（１００ｃｓ）（非揮発性油）」１０質量％を用いたものが記載されている（上記ア（キ））。
　しかし、甲１発明において、ｎが１０以上すなわち珪素数が１２以上の「化１直鎖状メチルポリシロキサン」を用いることができるとする根拠が、甲１には存在しない。すなわち、比較例４は、「ｎが１０〜３０００の整数」を満たすものと解される「ジメチルポリシロキサン（１００ｃｓ）（非揮発性油）」を用いたものであり、その評価結果において劣るものと認識されていること（上記ア（キ））に鑑みると、甲１発明において、敢えて「ｎが１０〜３０００の整数」を満たす「化１直鎖状メチルポリシロキサン」を用いようとする理由がない。また、甲２−９のいずれの刊行物を参照しても、甲１発明に係る乳化型整髪料において、「化１直鎖状メチルポリシロキサン」をその一成分として用いることの動機づけが存在しない。
　してみると、その余の相違点について検討するまでもなく、本件発明１は、甲１及び甲２−９に記載された発明から当業者が容易に想到したものとはいえない。
（２）理由２について
ア　甲１０に記載された事項
（ア）「【請求項１】
　（Ａ）カルナウバロウ、（Ｂ）キャンデリラロウ、（Ｃ）非イオン性界面活性剤および（Ｄ）分岐型脂肪酸および／又は分岐型脂肪酸エステルを含有してなる整髪用乳化化粧料。
…
【請求項４】
　更に、（Ｅ）揮発性油剤を含有してなる請求項１〜３の何れかに記載の整髪用乳化化粧料。」
（イ）「【発明が解決しようとする課題】
【０００７】
　本発明は、前記従来技術に鑑みてなされたものであり、カルナウバロウの優れた整髪性を損なうことなく、安定に乳化することができるとともに、高配合しても、凝集・析出が生じない乳化安定性の高い整髪用乳化化粧料を提供することを課題とする。更には、毛髪へのなじみおよび延展性に優れるとともに、べたつき感を与えずに、高融点ロウ類特有の優れた整髪性を付与することができる整髪用乳化化粧料を提供することを課題とする。
…
【発明の効果】
【０００９】
　本発明の整髪用乳化化粧料は、カルナウバロウとキャンデリラロウを併配合することにより、整髪性を損なうことなく、安定に乳化することができるとともに、例え高配合としても、凝集・析出が生じず、優れた乳化安定性を有するという効果を奏する。更に、本発明の整髪用乳化化粧料は、毛髪へのなじみおよび延展性が良好で整髪時の操作性に優れるとともに、べたつき感を低減し、高融点ロウ類特有の優れた整髪性を付与するという効果を奏する。」
（ウ）「【００１１】
　（Ａ）成分のカルナウバロウは、融点８０〜８６℃の淡黄色〜淡褐色のロウ状固体である。（Ａ）成分の含有量は、所望の効果が付与されるのであれば特に限定されないが、通常、整髪性の観点から、組成物中、１重量％以上が好ましく、より好ましくは２重量％以上である。また、乳化安定性の観点から、２５重量％以下が好ましく、より好ましくは２０重量％以下である。これらの観点から、（Ａ）成分の含有量は、組成物中、１〜２５重量％が好ましく、より好ましくは２〜２０重量％である。
【００１２】
　（Ｂ）成分のキャンデリラロウは、融点６８〜７２℃の帯褐黄色〜帯黄褐色のロウ状固体である。（Ｂ）成分の含有量は、所望の効果が付与されるのであれば特に限定されないが、通常、整髪性および乳化安定性の観点から、組成物中、１重量％以上が好ましく、より好ましくは２重量％以上である。また、乳化安定性の観点から、３０重量％以下が好ましく、より好ましくは２５重量％以下である。これらの観点から、（Ｂ）成分の含有量は、組成物中、１〜３０重量％が好ましく、より好ましくは２〜２５重量％である。」
（エ）「【００２３】
　また、本発明の整髪用乳化化粧料には、使用感を向上させる観点から、（Ｅ）揮発性油類を含有させることができる。（Ｅ）成分の具体例としては、例えば、イソパラフィン、軽質イソパラフィンなどの室温で液状の炭化水素；オクタメチルシクロテトラシロキサン、デカメチルシクロペンタシロキサン、ドデカメチルシクロヘキサシロキサンなどの環状シリコーン；オクタメチルトリシロキサン、テトラデカメチルヘキサシロキサン、低粘度メチルポリシロキサンなどの鎖状シリコーンなどを例示することができる。これら成分は、それぞれ単独で用いてもよく、２種以上を適宜組合せて用いることもできる。
【００２４】
　（Ｅ）成分の含有量は、所望の効果が付与されるのであれば特に限定されないが、通常、使用感を向上させる観点から、組成物中、１重量％以上が好ましく、より好ましくは２重量％以上である。また、乳化安定性の観点から、２０重量％以下が好ましく、より好ましくは１５重量％以下である。これらの観点から、（Ｅ）成分の含有量は、組成物中、１〜２０重量％が好ましく、より好ましくは２〜１５重量％である。」
（オ）「【００２９】
　また、本発明の整髪用乳化化粧料には、乳化安定性を更に向上させるために、増粘性高分子を含有させることができる。用いられる増粘性高分子としては、水溶性を有する天然高分子、半合成高分子、合成高分子などが挙げられる。…合成高分子としては…、カルボキシビニルポリマー…を例示することができる。…好適な増粘性高分子としては、カルボキシビニルポリマー…を用いることが好ましい。
…
【００３１】
　増粘性高分子の含有量は、特に限定されないが、通常、乳化安定性を更に向上させる観点から、組成物中、０．０１重量％以上が好ましく、より好ましくは０．１重量％以上である。また、使用感の観点から、１５重量％以下が好ましく、より好ましくは１０重量％以下である。これらの観点から、増粘性高分子の含有量は、０．０１〜１５重量％が好ましく、より好ましくは０．１〜１０重量％である。」
（カ）「【００３２】
　本発明の整髪用乳化化粧料には、本発明の効果を損なわない範囲内であれば、上記した成分の他に通常化粧品に用いられる成分、例えば…、ステアリン酸ステアリルなどの直鎖脂肪酸エステル…などを目的に応じて適宜配合することができる。」
（キ）「【実施例】
【００３５】
　以下、本発明を実施例に基づいて更に詳細に説明するが、本発明はこれら実施例にのみ限定されるものではない。尚、配合量は、特記しない限り「重量％」を表す。
…
【００４７】
【表１】
　　　　　　　　　　　　　　　　　　　　　　　　　　　　　　　　　」
イ　甲１０に記載された発明
　上記ア（ア）（ウ）（エ）からみて、甲１０には、次の甲１０発明が記載されている。
「（Ａ）カルナウバロウ、
（Ｂ）キャンデリラロウ、
（Ｃ）非イオン性界面活性剤、
（Ｄ）分岐型脂肪酸および／又は分岐型脂肪酸エステルおよび
（Ｅ）揮発性油剤
を含有してなる整髪用乳化化粧料。」
ウ　本件発明１と甲１０発明との対比・判断
（ア）本件発明１と甲１０発明とを対比する。
　甲１０発明の「揮発性油剤」は、上記ア（エ）からみて、本件発明１でいう「揮発性炭化水素」である。
　そうすると、本件発明１と甲１０発明とは、下記の点で一致する。
「次の成分を含有する乳化型整髪料。
　キャンデリラロウ
　揮発性炭化水素」
　そして、両発明は、下記の点で相違する。
相違点１：キャンデリラロウの配合量が、本件発明１は「１〜１５質量％」であるのに対し、甲１０発明は「１〜３０重量％」である点。
相違点２：揮発性炭化水素の配合量が、本件発明１は「０．５〜１５質量％」であるのに対し、甲１０発明は「１〜２０重量％」である点。
相違点３：本件発明１は「パルミチン酸２−エチルヘキシル及びステアリン酸ステアリルから選ばれる一種又は二種以上」を配合してなり、その配合量が「０．５〜１２質量％」であるのに対し、甲１０発明は「パルミチン酸２−エチルヘキシル及びステアリン酸ステアリルから選ばれる一種又は二種以上」を配合するものでない点。
相違点４：本件発明１は「化１直鎖状メチルポリシロキサン」を配合してなり、その配合量が「０．０５〜１０質量％」であるのに対し、甲１０発明は「化１直鎖状メチルポリシロキサン」を配合するものでない点。
相違点５：本件発明１は「カルボキシビニルポリマー及び／又はアルキル変性カルボキシビニルポリマー」を配合してなり、その配合量が「０．０１〜０．５質量％」であるのに対し、甲１０発明は「カルボキシビニルポリマー及び／又はアルキル変性カルボキシビニルポリマー」を配合するものでない点。
（イ）上記相違点について検討する。
　相違点４及び３に関し、「化１直鎖状メチルポリシロキサン」が属するシロキサン化合物について、甲１０には「（Ｅ）揮発性油類…の具体例としては、例えば…；オクタメチルトリシロキサン、テトラデカメチルヘキサシロキサン、低粘度メチルポリシロキサンなどの鎖状シリコーン」（上記ア（エ））が、そして実施例では、「デカメチルシクロペンタシロキサン」、「メチルポリシロキサン」、「低粘度メチルポリシロキサン」（上記ア（キ））が記載されている。
　しかし、甲１０発明において、「ｎが１０〜３０００の整数」の「化１直鎖状メチルポリシロキサン」を用いることができるとする根拠が、甲１０には存在しない。「メチルポリシロキサン」や「低粘度メチルポリシロキサン」にしても、どの程度の分子量を有するものか明らかでない。
　また、甲１０には、実施例４及び５において、本件発明１の（Ｃ）成分に相当する「ステアリン酸ステアリル」を用いることが記載されている。しかし、これらの実施例は、「ステアリン酸ステアリル」を何らかのシロキサン化合物と併せて用いるものではない。しかも、甲１０では、この「ステアリン酸ステアリル」は「目的に応じて適宜配合することができる」程度に認識されており、「メチルポリシロキサン」や「低粘度メチルポリシロキサン」と、「ステアリン酸ステアリル」とを併せて用いようとする理由がない。そうすると、本件発明１が（Ａ）−（Ｅ）の各成分を併せて用いたことによる所望の作用効果が、甲１０の記載からみて予測可能なものとはいえない。
　そして、甲２−９のいずれの刊行物を参照しても、甲１０発明に係る乳化型整髪料において、「化１直鎖状メチルポリシロキサン」をその一成分として、あるいは、「化１直鎖状メチルポリシロキサン」と「ステアリン酸ステアリル」とを各成分として用いることの動機づけが存在しない。
　してみると、その余の相違点について検討するまでもなく、本件発明１は、甲１０及び甲２−９に記載された発明から当業者が容易に想到したものとはいえない。
（３）理由３について
ア　甲１１に記載された事項
（ア）「【請求項１】
　（Ａ）ポリアクリル酸ナトリウム及び／又は高重合度ポリエチレングリコール：０．０１〜１．０質量％
　（Ｂ）植物由来及び／又は植物油脂の半固形油分：０．１〜２０．０質量％
　（Ｃ）キャンデリラロウ：１．０〜３０．０質量％
　（Ｄ）不揮発性油分（Ｄ１）と揮発性油分（Ｄ２）を含む常温で液状の油分：１．０〜３０．０質量％
　を含有し、成分（Ｃ）と成分（Ｄ）の質量比が、（Ｃ）／（Ｄ）＝０．２〜２．０であり、
　揮発性油分（Ｄ２）は珪素数が２〜８の低沸点シリコーン及び／又は沸点が６０〜２６０℃の範囲にあるイソパラフィン系炭化水素であり、
　不揮発性油分（Ｄ１）と揮発性油分（Ｄ２）の質量比は、１０．０≧（Ｄ１／Ｄ２）≧０．５であることを特徴とする毛髪化粧料。」
（イ）「【発明が解決しようとする課題】
【００１１】
　そこで本発明は、髪に塗布する際にのびが良くべたつきが少なく、ヘアアレンジがし易く整髪性に優れ、油っぽさがなく自然なツヤを与え、ヘアスタイルキープ性に優れた乳化型毛髪化粧料を提供することを目的とする。
…
【００１４】
　本発明の毛髪化粧料は、クリーム状またはワックス状であり、ヘアスタイルキープ性に優れた曳糸性のある乳化型毛髪化粧料である。
【発明の効果】
【００１５】
　本発明の毛髪化粧料は、髪に塗布する際にのびが良くべたつきが少なく、ヘアアレンジがし易く整髪性に優れ、かつ油っぽさがなく自然なツヤを与え、ヘアスタイルキープ性に優れたものである。」
（ウ）「【００１７】
　次に各成分の詳細について説明する。
　本発明で用いられる（Ａ）ポリアクリル酸ナトリウム及び／又は高重合度ポリエチレングリコールは、手に取る際に曳糸性を付与するものである。
　ポリアクリル酸ナトリウムとしては、平均重合度は１０，０００〜６０，０００が好ましく、特に３０，０００〜５０，０００がより好ましい。市販品は例えば、アロンビスＳ（日本純薬社製）が挙げられる。
　高重合度ポリエチレングリコールは、平均重合度が２０，０００〜２００，０００であり、水に分散又は溶解した際に曳糸性を有するものが用いられる。市販品としては、例えば、ポリオックス　WSR　N-12K（アメルコール社製、平均重合度２０，０００），リタ　PEO−８（リタ社製、平均重合度４５０００）、ポリオックス　WSR-301（アメルコール社製、平均重合度９０，０００）、リタ　PEO-27（リタ社製、平均重合度１６０，０００）等が挙げられる。
【００１８】
　（Ａ）ポリアクリル酸ナトリウム及び／又は高重合度ポリエチレングリコールの配合量は、０．０１〜１．０質量％であり、好ましくは０．０３〜０．０８質量％であり、より好ましく０．０４〜０．０６質量％である。０．０１質量％未満では曳糸性が不十分となり、１．０質量％を超えると、塗布時ののびが悪くなり、べたつきも生じる。
　また他の水溶性高分子を用いた場合には、曳糸性がなくごわつきが生じるという不都合がある。」
（エ）「【００２４】
　（Ｃ）キャンデリラロウはキャンデリラ植物の茎から抽出した黄色〜黄褐色の固形状ワックスで、例えば炭素数３１の直鎖炭化水素を主成分（約５０質量％）とし、高級脂肪酸と高級アルコールのエステルを約３０質量％含有するものである。本発明において、キャンデリラロウ以外のワックスを用いた場合には、整髪力、ヘアスタイルキープ力に劣るようになる。
【００２５】
　（Ｃ）キャンデリラロウの配合量は、１．０〜３０．０質量％であり、好ましくは３．０〜２０．０質量％であり、より好ましくは５．０〜１５．０質量％である。１．０質量％未満では整髪力に劣り、べたつきもある。３０．０質量％を超えると、塗布時ののびが重くなる。」
（オ）「【００２７】
　そして、不揮発性油分（Ｄ１）とは、具体的には、炭化水素油、シリコーン油、エステル油…等が挙げられる。
　このうち、炭化水素油としては、例えば流動パラフィン、スクワラン等がある。
　シリコーン油としては、例えばジメチルポリシロキサン、メチルフェニルポリシロキサン等がある。
　エステル油としては、例えばセチルイソオクタノエート、グリセリルトリヘキサノエート、イソプロピルミリステート等がある。
…
【００２８】
　一方、揮発性油分（Ｄ２）とは、珪素数が２〜７の低沸点シリコーン及び／又は沸点が６０〜２６０℃の範囲にあるイソパラフィン系炭化水素である。
　低沸点シリコーンとしては、低沸点環状シリコーンや低沸点鎖状シリコーンが挙げられる。
　このうち低沸点環状シリコーンでは、オクタメチルシクロテトラシロキサン、デカメチルシクロペンタシロキサン、テトラデカメチルシクロヘキサシロキサン等がある。低沸点環状シリコーンの市販品としては、例えば、信越化学社製のＫＦ−９９５、東レ・ダウコーニング社製のＤＣ２４６、ＤＣ３４５、ＳＨ２４５、モメンティブ・パフォーマンス・マテリアルズ・ジャパン社製のＴＳＦ４０５，ＳＦ１２５８などとして入手できる。
　低沸点鎖状シリコーンは、ヘキサメチルジシロキサン、オクタメチルトリシロキサン、デカメチルテトラシロキサン等で、例えば、信越化学社製のＫＦ−９６−１ｃｓ、ＫＦ−９６Ａ−１．５ｃｓ、東レ・ダウコーニング株式会社製のシリコーンＳＨ−２００Ｃ（１．５ｃｓ）、モメンティブ・パフォーマンス・マテリアルズ・ジャパン社製のＴＳＦ４５１−５Ａなどとして入手できる。
【００２９】
　低沸点イソパラフィン系炭化水素は、具体的には、エクソン社製のアイソパーＡ（登録商標）、同Ｃ、同Ｄ、同Ｅ、同Ｇ、同Ｈ、同Ｋ、同Ｌ、同Ｍ、シェル社のシェルゾール71（登録商標）、フィリップ社のソルトール100（登録商標）、同130などをあげることができる。
【００３０】
　本発明において、（Ｄ）常温で液状の油分の配合量は、１．０〜３０．０質量％であり、好ましくは３．０〜２０．０質量％であり、より好ましくは５．０〜１５質量％である。常温で液状の油分の配合量が１．０質量％未満では、塗布時ののびが重く、３０．０質量％を超えると、べたつきがあり、油っぽくなる。」
（カ）「【００４１】
【表１】
【００４２】
【表２】
…
【００４６】
※１：アロンビスＳ（日本純薬社製、平均重合度：４０，０００）
※２：ポリオックスＷＳＲ−３０１（アメルコール社製、平均重合度：９０，０００）
※３  ジメチルポリシロキサン（20ｍPa・S）（信越化学社製）
※４：ＤＣ３４５  Fluid（東レ・ダウコーニング社製）
【００４７】
  以下に、本発明の毛髪化粧料の処方例を挙げる。本発明はこの処方例によって何ら限定されるものではなく、特許請求の範囲によって特定されるものであることはいうまでもない。
【００４８】
実施例１８
（１）水添ポリイソブテン　　　　　　　　　　５．０　質量％
（２）オクタン酸セチル　　　　　　　　　　　５．０
（３）ジメチルポリシロキサン（6mPa・S）　　　２．０
（４）ステアリン酸水添ヒマシ油　　　　　　　５．０
（５）シア脂　　　　　　　　　　　　　　　　２．０
（６）キャンデリラロウ　　　　　　　　　　１０．０
（７）ステアリン酸グリセリル　　　　　　　　１．０
（８）モノステアリン酸ポリオキシエチレングリセリン（５EO）　１．０
（９）イソステアリン酸　　　　　　　　　　　１．０
（10）カルボキシビニルポリマー　　　　　　　０．４
（11）水酸化カリウム（ｐＨ７．５に調整）　　適量
（12）イオン交換水　　　　　　　　　　　　　残余
（13）プロピレングリコール　　　　　　　　　５．０
（14）EDTA-2Na・２H2O　　　　　　　　　　　　０．０５
（15）フェノキシエタノール　　　　　　　　　０．５
（16）香料　　　　　　　　　　　　　　　　　適量
（17）高重合度ポリエチレングリコール　　　　０．１
【００４９】
（製造方法）
　（１）〜（９）および（16）を８０〜９０℃で攪拌溶解して油相部とし、（12）に（13）〜（15）、(17)を加え溶解後、（10）を加え均一に攪拌分散させ、85℃にて攪拌溶解して水相部とする。水相部に油相部を加え均一攪拌後、（11）を加えホモミキサーにて乳化させた後、脱泡・冷却し目的物を得た。
【００５０】
実施例１９
（１）カオリン　　　　　　　　　　　　　　　２．０　質量％
（２）フェニルメチルポリシロキサン　　　　１０．０
（３）アモジメチコン　　　　　　　　　　　　１．０
　　　（ＢＹ２２−０７９／東レ・ダウコーニング社製）
（４）オレイン酸デシル　　　　　　　　　　１０．０
（５）メチルシクロポリシロキサン　　　　　１０．０
（６）オクタメチルトリシロキサン　　　　　　３．０
（７）リシノレイン酸フィトステリル　　　　　５．０
（８）ヒドロキシステアリン酸水添ヒマシ油　　５．０
（９）キャンデリラロウ　　　　　　　　　　１０．０
（10）イソステアリン酸ポリオキシエチレングリセリル（６０ＥＯ）　１．０
（11）モノステアリン酸ポリオキシエチレンソルビタン（２０ＥＯ）　３．０
（12）ステアリン酸　　　　　　　　　　　　　１．０
（13）トリエタノールアミン（ｐＨ７．５に調整）　適量
（14）イオン交換水　　　　　　　　　　　　　残余
（15）１，３−ブチレングリコール　　　　　　５．０
（16）EDTA-2Na・２H2O　　　　　　　　　　　　０．０５
（17）フェノキシエタノール　　　　　　　　　０．５
（18）香料　　　　　　　　　　　　　　　　　適量
（19）ポリアクリル酸ナトリウム　　　　　　　０．１
【００５１】
（製造方法）
　（２）〜（12）および（18）を加え80〜90℃で攪拌溶解して油相部とし、（14）に（15）〜（17）および（19）を加え攪拌溶解後、（１）を加えディスパーを用いて均一分散させ８５℃にて攪拌分散して水相部とする。水相部に油相部を加え均一攪拌後、（13）を加えホモミキサーにて乳化させた後、脱泡・冷却し目的物を得た。
【００５２】
実施例２０
（１）微粒子シリカ　　　　　　　　　　　　　　１．０　質量％
（２）リンゴ酸ジイソステアリル　　　　　　　　５．０
（３）(ビスイソブチルＰＥＧ-14／アモジメチコン)コポリマー　１．０
　　　（SILSTYLE　104／東レ・ダウコーニング社製）
（４）イソノナン酸イソノニル　　　　　　　　１０．０
（５）水添ポリイソブテン　　　　　　　　　　１０．０
（６）シクロペンタシロキサン　　　　　　　　１０．０
（７）ラウリン酸水添ヒマシ油　　　　　　　　１０．０
（８）水添ダイマー酸ジ（フィトステリル・イソステアリル・セチル・ステアリル・ベヘニル）エステル　５．０
（９）キャンデリラロウ　　　　　　　　　　　２０．０
（10）ステアリルアルコール　　　　　　　　　　１．０
（11）メトキシケイヒ酸オクチル　　　　　　　　２．０
（12）ポリオキシエチレン硬化ヒマシ油（６０ＥＯ）　２．０
（13）イソステアリン酸　　　　　　　　　　　　２．０
（14）トリエタノールアミン（ｐＨ７．５に調整）　適量
（15）イオン交換水　　　　　　　　　　　　　　　残余
（16）ソルビトール　　　　　　　　　　　　　　５．０
（17）フェノキシエタノール　　　　　　　　　　０．５
（18）香料　　　　　　　　　　　　　　　　　　適量
（19）ポリアクリル酸ナトリウム　　　　　　　　０．５
【００５３】
（製造方法）
　（２）〜（13）および（18）を加え８０〜９０℃で攪拌溶解して油相部とし、（15）に（16）〜（17）および（19）を加え攪拌溶解後、（１）を加えディスパーを用いて均一分散させ８５℃に加温攪拌分散して水相部とする。水相部に油相部を加え均一攪拌後、（14）を加えホモミキサーにて乳化させた後、脱泡・冷却し目的物を得た。
【００５４】
実施例２１
（１）酸化チタン　　　　　　　　　　　　　　　　１．０　質量％
（２）流動パラフィン　　　　　　　　　　　　　　５．０
（３）テトラエチルヘキサン酸ペンタエリスリチル　５．０
（４）ポリエーテル変性メチルポリシロキサン　　　１．０
（５）ヘキサメチルジシロキサン　　　　　　　　１０．０
（６）デカメチルシクロペンタシロキサン　　　　　３．０
（７）パーム核油　　　　　　　　　　　　　　　　３．０
（８）マカデミアナッツ油脂肪酸フィトステリル　　７．０
（９）キャンデリラロウ　　　　　　　　　　　　　８．０
（10）ベヘニルアルコール　　　　　　　　　　　　２．０
（11）ステアリン酸グリセリル　　　　　　　　　　１．０
（12）ステアリン酸　　　　　　　　　　　　　　　２．０
（13）トリエタノールアミン（ｐＨ７．５に調整）　適量
（14）イオン交換水　　　　　　　　　　　　　　　残余
（15）グリセリン　　　　　　　　　　　　　　　　５．０
（16）加水分解ポリペプタイド　　　　　　　　　　０．８
（17）フェノキシエタノール　　　　　　　　　　　０．５
（18）香料　　　　　　　　　　　　　　　　　　　適量
（19）高重合度ポリエチレングリコール　　　　　　１．０
【００５５】
（製造方法）
　（２）〜（12）および（18）を加え80〜90℃で攪拌溶解して油相部とし、（14）に（15）〜（17）および（19）を加え攪拌溶解後、（１）を加えディスパーを用いて均一分散させ８５℃にて攪拌分散して水相部とする。水相部に油相部を加え均一攪拌後、（13）を加えホモミキサーにて乳化させた後、脱泡・冷却し目的物を得た。」
イ　甲１１に記載された発明
　上記ア（ア）からみて、甲１１には、次の甲１１発明が記載されている。
「（Ａ）ポリアクリル酸ナトリウム及び／又は高重合度ポリエチレングリコール：０．０１〜１．０質量％
　（Ｂ）植物由来及び／又は植物油脂の半固形油分：０．１〜２０．０質量％
　（Ｃ）キャンデリラロウ：１．０〜３０．０質量％
　（Ｄ）不揮発性油分（Ｄ１）と揮発性油分（Ｄ２）を含む常温で液状の油分：１．０〜３０．０質量％
　を含有し、成分（Ｃ）と成分（Ｄ）の質量比が、（Ｃ）／（Ｄ）＝０．２〜２．０であり、
　揮発性油分（Ｄ２）は珪素数が２〜８の低沸点シリコーン及び／又は沸点が６０〜２６０℃の範囲にあるイソパラフィン系炭化水素であり、
　不揮発性油分（Ｄ１）と揮発性油分（Ｄ２）の質量比は、１０．０≧（Ｄ１／Ｄ２）≧０．５であることを特徴とする毛髪化粧料。」
ウ　本件発明１と甲１１発明との対比・判断
（ア）本件発明１と甲１１発明とを対比する。
　甲１１発明の「揮発性油分（Ｄ２）」のうち「沸点が６０〜２６０℃の範囲にあるイソパラフィン系炭化水素」は、本件発明１でいう「揮発性炭化水素」である。また、甲１１発明の「毛髪化粧料」は、上記ア（イ）の記載からみて乳化型といえるから、本件発明１の「乳化型整髪料」に相当する。
　そうすると、本件発明１と甲１１発明とは、下記の点で一致する。
「次の成分を含有する乳化型整髪料。
　キャンデリラロウ
　揮発性炭化水素」
　そして、両発明は、下記の点で相違する。
相違点１：キャンデリラロウの配合量が、本件発明１は「１〜１５質量％」であるのに対し、甲１１発明は「１．０〜３０．０質量％」である点。
相違点２：揮発性炭化水素の配合量が、本件発明１は「０．５〜１５質量％」であるのに対し、甲１１発明は不揮発性油分と合わせて「１．０〜３０．０質量％」である点。
相違点３：本件発明１は「パルミチン酸２−エチルヘキシル及びステアリン酸ステアリルから選ばれる一種又は二種以上」を配合してなり、その配合量が「０．５〜１２質量％」であるのに対し、甲１１発明は「パルミチン酸２−エチルヘキシル及びステアリン酸ステアリルから選ばれる一種又は二種以上」を配合するものでない点。
相違点４：本件発明１は「化１直鎖状メチルポリシロキサン」を配合してなり、その配合量が「０．０５〜１０質量％」であるのに対し、甲１１発明は「化１直鎖状メチルポリシロキサン」を配合するものでない点。
相違点５：本件発明１は「カルボキシビニルポリマー及び／又はアルキル変性カルボキシビニルポリマー」を配合してなり、その配合量が「０．０１〜０．５質量％」であるのに対し、甲１１発明は「ポリアクリル酸ナトリウム及び／又は高重合度ポリエチレングリコール」を配合してなり、その配合量が「０．０１〜１．０質量％」である点。
（イ）上記相違点について検討する。
　相違点３及び４に関し、甲１１には、「不揮発性油分（Ｄ１）とは、具体的には、炭化水素油、シリコーン油、エステル油…等が挙げられる。
　このうち…エステル油としては、例えばセチルイソオクタノエート、グリセリルトリヘキサノエート、イソプロピルミリステート等がある。」（上記ア（オ））と記載されており、実施例では、この「エステル油」と解しうる化合物として、「オクタン酸セチル」、「エチルヘキサン酸セチル」、「ステアリン酸グリセリル」、「オレイン酸デシル」、「リンゴ酸ジイソステアリル」、「イソノナン酸イソノニル」、「メトキシケイヒ酸オクチル」、「テトラエチルヘキサン酸ペンタエリスリチル」（上記ア（カ））が用いられている。
　しかし、甲１１発明において、「パルミチン酸２−エチルヘキシル及びステアリン酸ステアリルから選ばれる一種又は二種以上」を用いることができるとする根拠が、甲１１には存在しない。
　申立人は、「オレイン酸デシルは、本件特許明細書の【００１７】に好ましい（Ｃ）成分として記載された「炭素数１２〜２２の直鎖脂肪酸の炭素数８〜２２の直鎖又は分岐鎖飽和アルコールとのエステル」に含まれる。本件特許明細書には、本件発明１に記載のパルミチン酸２−エチルヘキシル及びステアリン酸ステアリルが、「炭素数１２〜２２の直鎖脂肪酸の炭素数８〜２２の直鎖又は分岐鎖飽和アルコールとのエステル」よりも有利な効果があるとは一切記載されていないから、甲第１１号証に記載されたオレイン酸デシルも、本件発明１と同等の効果を奏する。
　また、…甲第２〜４号証に記載されたように、パルミチン酸２−エチルヘキシルは、化粧品原料製品として当業者に広く用いられ、…。
　従って、甲第１１号証のエステル油に代えて、パルミチン酸２−エチルヘキシルを３〜６質量％程度用いることは、当業者は容易になし得ることであった。
　さらに、本件発明１では、パルミチン酸２−エチルヘキシル及びステアリン酸ステアリルから選ばれる一種又は二種以上含有することが記載されているが、一種又は二種以上を用いる程度のことは、当業者には容易に成し得るものである。」（特許異議申立書３４頁２５行−３５頁７行）と主張する。
　しかし、「オレイン酸デシル」を用いた実施例１９は、例えば実施例１−６、９、１５−１８で用いられるような「ジメチルポリシロキサン」と併せて用いるものではない。実施例１９で用いられるシロキサン化合物のうち「フェニルメチルポリシロキサン」、「アモジメチコン」、「メチルシクロポリシロキサン」は、直鎖状メチルポリシロキサンではなく、「オクタメチルトリシロキサン」は、「化１直鎖状メチルポリシロキサン」のｎの数値を満たさない。そして、甲１１の記載からみて、甲１１発明の「不揮発性油分（Ｄ１）」として列記されているシリコーン油とエステル油とは、常に併せて用いるものと解されるものではない。
　仮に「オレイン酸デシルは、本件特許明細書の【００１７】に好ましい（Ｃ）成分として記載された「炭素数１２〜２２の直鎖脂肪酸の炭素数８〜２２の直鎖又は分岐鎖飽和アルコールとのエステル」に含まれる」ことから、甲１１発明のエステル油として「パルミチン酸２−エチルヘキシル及びステアリン酸ステアリルから選ばれる一種又は二種以上」を用いることが容易になし得るとしても、甲１１の記載からは、「オレイン酸デシル」と「直鎖状メチルポリシロキサン」とを併せて用いようとする根拠が見いだせず、「パルミチン酸２−エチルヘキシル及びステアリン酸ステアリルから選ばれる一種又は二種以上」と「化１直鎖状メチルポリシロキサン」とを併せて用いることを想起することはできない。
　また、甲１−９のいずれの刊行物を参照しても、甲１１発明に係る乳化型整髪料において、「化１直鎖状メチルポリシロキサン」と「パルミチン酸２−エチルヘキシル及びステアリン酸ステアリルから選ばれる一種又は二種以上」とを各成分として用いることの動機づけが存在しない。
　してみると、その余の相違点について検討するまでもなく、本件発明１は、甲１１及び甲１−９に記載された発明から当業者が容易に想到したものとはいえない。
（４）本件発明２に関する理由１−３についての判断
　本件発明２は、本件発明１を引用し、さらに限定を加えたものである。そして、上述のとおり、本件発明１について、理由１−３はいずれも理由がないことに鑑みると、本件発明２についても同様に、理由１−３はいずれも理由がない。
（５）まとめ
　よって、特許法第２９条第２項の規定に違反して特許されたものであるとの理由で本件発明１−２に係る特許を取り消すことはできない。
４　むすび
　以上のとおりであるから、異議申立ての理由によっては、本件発明１−２に係る特許を取り消すことはできない。
　また、他に本件発明１−２に係る特許を取り消すべき理由を発見しない。
　よって、結論のとおり決定する。
【異議決定日】
平成２９年３月２７日（２０１７．３．２７）